(57)【要約】【課題】  キー操作を伴わずに二つの筐体の結合状態を変化させるだけで、通信に必要となる機能のみを停止させる設定及びその設定の解除を行うことができ、キー操作に不慣れな者、多くの操作キーを使いこなせない者、高齢者等であっても、通信に必要となる機能のみを停止させる設定及びその設定の解除を容易に行うことが可能となる折畳式携帯電話機を提供する。【解決手段】  第一の筐体２と第二の筐体４の結合状態を検出する位置検出手段と、位置検出手段で検出された結果に基づき、通信に必要となる機能のみを停止させる設定又は当該設定の解除を制御する処理を行う通信機能制御手段とを備えている折畳式携帯電話機により課題を解決した。【選択図】  図１
2005286610.tif 000002
【特許請求の範囲】
【請求項１】
表示部を有する第一の筐体と、操作部を有する第二の筐体と、当該第一の筺体と当該第二の筺体を開閉自在に結合させる結合部材を有してなる折畳式携帯電話機であって、
前記第一の筐体と前記第二の筐体の結合状態を検出する位置検出手段と、
当該位置検出手段で検出された結果に基づき、通信に必要となる機能のみを停止させる設定又は当該設定の解除を制御する処理を行う通信機能制御手段と
を備えていることを特徴とする折畳式携帯電話機。
【請求項２】
前記結合部材は、前記第一の筐体と前記第二の筐体を開閉自在とし、かつ回動自在とするものであることを特徴とする請求項１に記載の折畳式携帯電話機。
【請求項３】
前記位置検出手段は、前記第一の筐体又は前記第二の筐体のいずれか一方の筺体内の所定位置に設けられた磁石と、当該磁石が設けられていない他方の筐体内の所定位置に設けられた磁気検出器とを備えたものであることを特徴とする請求項１又は２に記載の折畳式携帯電話機。
【請求項４】
前記磁気検出器は、前記所定位置に複数個設けられていることを特徴とする請求項３に記載の折畳式携帯電話機。
【請求項５】
前記磁気検出器は、検出した磁力の強さによってオン及びオフが切り替わるスイッチとしての機能を併せ持ったものであることを特徴とする請求項３又は４に記載の折畳式携帯電話機。
【請求項６】
前記通信機能制御手段は、予め設定した磁気検出器がオフからオンに切り替わった場合に限り、通信に必要となる機能のみを停止させる設定又は当該設定の解除を制御する処理を行うことを特徴とする請求項５に記載の折畳式携帯電話機。
【発明の詳細な説明】
【技術分野】
【０００１】
本発明は、二つの筐体の結合状態によって、通信に必要となる機能のみを停止させる設定又はその設定の解除を制御することができる、折畳式携帯電話機に関するものである。
【背景技術】
【０００２】
電車内をはじめとする公共の場所では、携帯電話機で通話をすると、他人の迷惑になる。病院内では、医療機器の誤作動を防止するために、携帯電話機の電源を切ることが義務付けられている。ユーザ自体が電話の呼び出しに応答したくない場合もある。このような場合には、ユーザは、通常、携帯電話機の電源を切っている。
【０００３】
最近の携帯電話機は、多機能化及び高機能化が進み、通話等の通信に必要となる機能のみならず、カメラやメモ帳など、様々な機能を備えているため、携帯電話機での通話が禁止された場所や電波の出力を停止させる必要がある場所で、通信に必要となる機能以外の機能を使用したい場合がある。
【０００４】
以上のような背景から、ユーザが状況に応じて、通信に必要となる機能の使用のみを制限し、通信に必要となる機能以外の機能については、通常どおり使用することができる携帯電話機のニーズが非常に高くなっている。
【０００５】
現在一般に発売されている携帯電話機には、通信に必要となる機能のみを停止することができるものもある。
【０００６】
また、例えば、特許文献１には、出力電波停止ボタンが押されると、通信に必要となる機能のみを停止させることができる携帯電話機が開示されている。
【特許文献１】特開２００３−２９８７２９号公報
【発明の開示】
【発明が解決しようとする課題】
【０００７】
しかしながら、現在発売されている携帯電話機では、通信に必要となる機能のみを停止させる設定やその設定の解除を行うまでの手順が非常に複雑であるため、通信に必要となる機能のみを停止させることはあまり行われていないという現実がある。
【０００８】
また、特許文献１に開示された携帯電話機のように、出力電波停止ボタンを目立つように設けたとしても、キー操作を伴わずに通信に必要となる機能のみを停止させる設定やその設定の解除を行うことができれば便利であり、携帯電話機のユーザには、キー操作に不慣れな者、多くの操作キーを使いこなせない者、高齢者等も含まれるため、キー操作を伴わずに通信に必要となる機能のみを停止させる設定やその設定の解除を行うことができるようにする必要もあると考えられる。
【０００９】
本発明は、以上の点に鑑みてなされたものであり、その目的とするところは、キー操作を伴わずに二つの筐体の結合状態を変化させるだけで、通信に必要となる機能のみを停止させる設定及びその設定の解除を行うことができ、キー操作に不慣れな者、多くの操作キーを使いこなせない者、高齢者等であっても、通信に必要となる機能のみを停止させる設定及びその設定の解除を容易に行うことが可能となる折畳式携帯電話機を提供することにある。
【課題を解決するための手段】
【００１０】
折畳式携帯電話機における二つの筐体の結合状態の様々な具体例を図５に示す。図５に示されたように、昨今の折畳式携帯電話機には、多様な筐体の状態が存在するものも数多い。そして、これらの多様な筐体の状態は、何らかの機能を使用するために最も適しているユーザインタフェースをユーザに与えるよう考慮されているケースがほとんどである。また、ここでいう何らかの機能とは、付属のカメラ機能による撮影等、通信に必要となる機能以外のものが多い。
【００１１】
こういった現状を踏まえ、筐体の状態により最も適した携帯電話機の状態というものが存在すると考え、その最も適した状態を、ユーザがいかに簡単に設定することが可能になるかを考慮した結果、あえて、携帯電話機としての機能の一部である通信に必要となる機能のみに制限をかけることで、公共マナーの観点から利益が発生することに着目した。
【００１２】
そして、本発明者は、上記目的を達成すべく様々な検討を重ねた結果、第一の筐体と第二の筐体の結合状態を検出する位置検出手段と、位置検出手段で検出された結果に基づき、通信に必要となる機能のみを停止させる設定又はその設定の解除を制御する処理を行う通信機能制御手段とを備えている折畳式携帯電話機により、上記課題を達成することを見出し、本発明をするに至った。
【００１３】
即ち、本発明の折畳式携帯電話機は、表示部を有する第一の筐体と、操作部を有する第二の筐体と、当該第一の筺体と当該第二の筺体を開閉自在に結合させる結合部材を有してなる折畳式携帯電話機であって、前記第一の筐体と前記第二の筐体の結合状態を検出する位置検出手段と、当該位置検出手段で検出された結果に基づき、通信に必要となる機能のみを停止させる設定又は当該設定の解除を制御する処理を行う通信機能制御手段とを備えていることを特徴とする。
【００１４】
前記結合部材は、前記第一の筐体と前記第二の筐体を開閉自在とし、かつ回動自在とするものであるという構成を採用することができる。ここにいう第一の筐体と第二の筐体を開閉自在とし、かつ回動自在とする結合部材としては、例えば、二軸折畳式携帯電話機に用いられている回転型二軸ヒンジなどが挙げられる。
【００１５】
前記位置検出手段は、前記第一の筐体又は前記第二の筐体のいずれか一方の筺体内の所定位置に設けられた磁石と、当該磁石が設けられていない他方の筐体内の所定位置に設けられた磁気検出器とを備えたものであるという構成を採用することができる。この構成を採用することにより、二つの筐体の結合状態をより正確に把握することが可能となる。ここで、磁石を設ける所定位置は、第一の筐体、第二の筐体を問わず、筐体内であれば、特に限定されず、いずれの場所であってもよいが、二つの筐体の結合状態をより正確に把握できる等の観点から、例えば、二つの筐体を接合する結合部材が取り付けられている方向と反対側先端付近の筐体内部に設けるのが好ましい。磁気検出器としては、例えば、リードスイッチ、磁気センサ（ホール素子）、既知の機械的スイッチ等が挙げられる。磁気検出器を設ける所定位置は、磁石が設けられた筐体と別の筐体内であれば、特に限定されず、いずれの場所であってもよいが、例えば、二つの筐体の結合状態をより正確に把握できる等の観点から、例えば、二つの筐体を接合する結合部材が取り付けられている方向と反対側先端付近の筐体内部に設けるのが好ましい。
【００１６】
前記磁気検出器は、前記所定位置に複数個設けられているという構成を採用することができる。この構成を採用することにより、特に、二軸折畳式携帯電話機における二つの筐体の結合状態をさらに正確に把握することが可能となる。ここで、磁気検出器は、二つの筐体の結合状態をさらに正確に把握できる等の観点から、例えば、結合部材が取り付けられている方向と反対側先端付近の両側面の筐体内部に設けるのがより好ましい。
【００１７】
前記磁気検出器は、検出した磁力の強さによってオン及びオフが切り替わるスイッチとしての機能を併せ持ったものであるという構成を採用することができる。この構成を採用することにより、通信に必要となる機能のみを停止させる設定又は当該設定の解除を制御する精度がより向上する。検出した磁力によってオン及びオフが切り替わるスイッチとしての機能を併せ持った磁気検出器の例としては、例えば、リードスイッチ等が挙げられる。
【００１８】
前記通信機能制御手段は、予め設定した磁気検出器がオフからオンに切り替わった場合に限り、通信に必要となる機能のみを停止させる設定又は当該設定の解除を制御する処理を行うという構成を採用することができる。この構成を採用することにより、誤動作等を適切に抑制することが可能となる。
【発明の効果】
【００１９】
本発明の折畳式携帯電話機は、キー操作を伴わず、二つの筐体の結合状態を変化させるだけで、通信に必要となる機能のみを停止させる設定及びその設定の解除を行うことができるため、従来ある既存の設定方法よりも遥かに高い利便性を有することとなり、キー操作に不慣れな者、多くの操作キーを使いこなせない者、高齢者等であっても、通信に必要となる機能のみを停止させる設定及びその設定の解除を容易に行うことが可能となるという利点がある。
【００２０】
本発明の折畳式携帯電話機では、操作面に新たな機能を定義することなく、通信に必要となる機能のみを停止させる設定及びその設定の解除という機能を提供することができるという利点がある。
【００２１】
本発明の折畳式携帯電話機を利用すれば、従来ある既存の設定方法よりも少ない手順で設定を行うことができるため、しいては携帯電話機を利用するユーザのマナーの向上にも繋がると考えられる。
【発明を実施するための最良の形態】
【００２２】
以下、添付図面を参照して本発明の好ましい実施形態を説明する。
【００２３】
本発明の折畳式携帯電話機における一実施形態の概略を図１に示す。図１において、折畳式携帯電話機１は、表示部３を有する第一の筐体２と、操作部５を有する第二の筐体４と、第一の筺体２及び第二の筺体４を、開閉自在とし、かつ回動自在とするように結合させる結合部材としての回転型二軸ヒンジ６とを有する。第一の筺体２と第二の筺体４の二つの筐体内部には、位置検出手段としての磁石７、リードスイッチ８ａ、８ｂと、通信機能制御手段（不図示）を備えている。
【００２４】
第一の筺体２と第二の筺体４は、回転型二軸ヒンジ６により、例えば、図５に示すように、様々な結合状態を採ることができ、二つの筺体は、開閉自在、かつ回動自在に動き、二方向に回転させることが可能である。
【００２５】
磁石７は、第一の筺体２の回転型二軸ヒンジ６が取り付けられている方向と反対側先端付近の筐体内部に設けられ、リードスイッチ８ａ、８ｂは、第二の筺体４の回転型二軸ヒンジ６が取り付けられている方向と反対側先端付近の両側面の筐体内部に設けられている。リードスイッチ８ａ、８ｂは、検出した磁力の強さによりオンとオフが切り替わるようになっている。
【００２６】
本発明において、通信に必要となる機能のみを停止させる設定又はその設定の解除が行われる二つの筐体の結合状態の変化の一例を図２に示す。この例では、折畳式携帯電話機を開いた状態（図２（ａ））から、第一の筐体２を矢示９の方向（図２（ｂ））に１８０度回転させ、その後、第一の筐体２の表示部３を備えていない外面２ｂと第二の筐体４の操作面５を備えている表面４ａを合わせるようにして二つの筐体を閉じる（図２（ｃ））ことにより、通信に必要となる機能のみを停止させる設定又はその設定の解除が行われる。
【００２７】
本発明においては、折畳携帯電話機内の設定により、これとは逆に、第一の筐体２の表示部３を備えている内面２ａと第二の筐体４の操作面５を備えている表面４ａを合わせるように筐体を閉じることによっても、通信に必要となる機能のみを停止させる設定又はその設定の解除が行われるようにすることも可能である。
【００２８】
二つの筐体の結合状態を変化させた場合における、位置検出手段としての磁石７、リードスイッチ８ａ、８ｂの位置関係の変化を図３に示す。第一の筐体２の内面２ａと第二の筐体４の表面４ａを合わせるようにして二つの筐体を閉じた場合には、リードスイッチ８ａの略上方に磁石７が位置することになる（図３（ａ））。これとは逆に、第一の筐体２の外面２ｂと第二の筐体４の表面４ａを合わせるように筐体を閉じた場合には、リードスイッチ８ｂの略上方に磁石７が位置することになる（図３（ｂ））。
【００２９】
ここで、図３（ａ）の状態から図３（ｂ）の状態に変化させると、リードスイッチ８ａの受ける磁力が一時的に著しく減少するため、リードスイッチ８ａがオンからオフに切り替わると共に、リードスイッチ８ｂの受ける磁力が一時的に著しく増加するため、リードスイッチ８ｂがオフからオンに切り替わる。リードスイッチ８ａ又は８ｂのオンとオフが切り替わった場合には、オンとオフが切り替わった旨及び現在のオン又はオフの状態を示す電気信号が通信機能制御手段に送られる。
【００３０】
以下に、本発明の折畳式携帯電話機における通信機能制御手段で行われる処理の過程の一例を図４に基づき説明する。
【００３１】
リードスイッチ８ａと８ｂのいずれかがオフからオンとなる（ステップ１０１）と、通信機能制御手段において、リードスイッチ８ｂがオフからオンになったか判定する（ステップ１０２）。例えば、図３に示された位置に、磁石７、リードスイッチ８ａ、８ｂが設けられている場合において、第一の筐体２の内面２ａと第二の筐体４の表面４ａを合わせるようにして二つの筐体を閉じた状態（図３（ａ））から、第一の筐体２の外面２ｂと第二の筐体４の表面４ａを合わせるように筐体を閉じた状態（図３（ｂ））に変化させたときは、リードスイッチ８ｂがオフからオンとなり、図３（ｂ）の状態から、図３（ａ）の状態に変化させたときは、リードスイッチ８ａがオフからオンとなる。
【００３２】
リードスイッチ８ｂがオフからオンになった場合（ステップ１０２／Ｙｅｓ）には、通信機能制御手段内にある制御部は、「筐体の結合状態が変化した場合には通信に必要となる機能のみを停止させる設定又はその設定の解除を行う」旨の設定がなされているかどうか折畳式携帯電話機内のメモリを確認する（ステップ１０３）。
【００３３】
「筐体の結合状態が変化した場合には通信に必要となる機能のみを停止させる設定又はその設定の解除を行う」旨の設定がなされている場合（ステップ１０３／Ｙｅｓ）には、通信機能制御手段内にある制御部は、折畳式携帯電話機のハードウェア制御部に対し、強制的に、通信に必要となる機能のみを停止させる設定をするよう命令する電子信号を発行する（ステップ１０４）。これにより、折畳式携帯電話機は、キー操作を伴わず、二つの筐体の結合状態を変化させたけで、通信に必要となる機能のみを停止させる設定が行われる。
【００３４】
「筐体の結合状態が変化した場合には通信に必要となる機能のみを停止させる設定又はその設定の解除を行う」旨の設定がなされていない場合（ステップ１０３／Ｎｏ）には、通信機能制御手段は、通信に必要となる機能のみを停止させる設定又は当該設定の解除を制御する処理を行わない（ステップ１０５）。
【００３５】
リードスイッチ８ａがオフからオンになった場合（ステップ１０２／Ｎｏ）には、通信機能制御手段は、通信に必要となる機能のみを停止させる設定又は当該設定の解除を制御する処理を行わない（ステップ１０５）。
【００３６】
なお、通信に必要となる機能のみを停止させる設定の解除を行う場合においても、上述した処理の過程と同様にして行うことが可能である。
【図面の簡単な説明】
【００３７】
【図１】本発明の折畳式携帯電話機における一実施形態を示す概略図である。
【図２】（ａ）は、本発明の折畳式携帯電話機について開いた状態の一例を示す図、（ｂ）は、本発明の折畳式携帯電話機について第一の筐体を矢示の方向に回転させている状態の一例を示す図、（ｃ）は、本発明の折畳式携帯電話機について第一の筐体の外面と第二の筐体の表面を合わせるようにして二つの筐体を閉じた状態の一例を示す図である。
【図３】（ａ）は、本発明の折畳式携帯電話機について第一の筐体の内面と第二の筐体の表面を合わせるようにして二つの筐体を閉じた状態の一例を示す図、（ｂ）は、本発明の折畳式携帯電話機について第一の筐体の外面と第二の筐体の表面を合わせるようにして二つの筐体を閉じた状態の他の一例を示す図である。
【図４】本発明の折畳式携帯電話機における通信機能制御手段において行われる処理の過程の一例を説明する図である。
【図５】折畳式携帯電話機における二つの筐体の結合状態の様々な具体例を示す図である。
【符号の説明】
【００３８】
１    折畳式携帯電話機
２    第一の筐体
２ａ    第一の筐体の内面
２ｂ    第一の筐体の外面
３    表示部
４    第二の筐体
４ａ    第二の筐体の表面
５    操作部
６    回転型二軸ヒンジ
７    磁石
８ａ    リードスイッチ
８ｂ    リードスイッチ
【図１】
2005286610.tif 000003
【図２】
2005286610.tif 000004
【図３】
2005286610.tif 000005
【図４】
2005286610.tif 000006
【図５】
2005286610.tif 000007